(57)【要約】  ノイズキャンセリング機能の向上を図る。  入力用振動板を有しノイズを検出する検出マイクと、出力用振動板を有するスピーカーと、内部に少なくともスピーカーと検出マイクが配置されたハウジングとを備え、入力用振動板と出力用振動板の向きが略同じにされた。これにより、入力用振動板と出力用振動板が向き合った状態でスピーカーからの音声の出力と検出マイクへの音声の入力が行われ、入力用振動板と出力用振動板の距離を近くすることが可能になり、スピーカーから出力される音声と検出マイクに入力される音声との間での位相の遅れが生じ難くなるため、検出マイクによるノイズの検出精度が高まり、ノイズキャンセリング機能の向上を図ることができる。
2019035304.tif 000002
【特許請求の範囲】
【請求項１】
入力用振動板を有しノイズを検出する検出マイクと、
出力用振動板を有するスピーカーと、
内部に少なくとも前記スピーカーと前記検出マイクが配置されたハウジングとを備え、
前記入力用振動板と前記出力用振動板の向きが略同じにされた
音響出力装置。
【請求項２】
前記検出マイクの少なくとも一部が前記スピーカーに対向して位置された
請求項１に記載の音響出力装置。
【請求項３】
前記検出マイクの全体が前記スピーカーに対向して位置された
請求項２に記載の音響出力装置。
【請求項４】
前記検出マイクと前記スピーカーの距離が前記検出マイクの半径以下にされた
請求項１に記載の音響出力装置。
【請求項５】
前記スピーカーから出力される音声の周波数帯域と異なる周波数帯域の音声を出力する音声出力器が設けられた
請求項１に記載の音響出力装置。
【請求項６】
前記ハウジングに開口が形成され、
前記開口から入力されるノイズを検出するセンシングマイクが設けられた
請求項１に記載の音響出力装置。
【請求項７】
前記センシングマイクが前記ハウジングの内部に配置され、
前記検出マイクと前記センシングマイクが前記スピーカーを挟んで反対側に位置された
請求項６に記載の音響出力装置。
【請求項８】
前記スピーカーから出力される音声が通過される音導管を有するブラケットが設けられ、
前記ブラケットに前記スピーカーと前記検出マイクが取り付けられた
請求項１に記載の音響出力装置。
【請求項９】
前記スピーカーから出力される音声の周波数帯域と異なる周波数帯域の音声を出力する音声出力器が設けられ、
前記音声出力器が前記ブラケットに取り付けられた
請求項８に記載の音響出力装置。
【請求項１０】
前記音声出力器から出力される音声が前記音導管を通るようにされた
請求項９に記載の音響出力装置。
【請求項１１】
入力用振動板を有しノイズを検出する検出マイクと、
出力用振動板を有するスピーカーと、
内部に少なくとも前記スピーカーと前記検出マイクが配置されたハウジングとを備え、
前記スピーカーの軸方向と前記検出マイクの軸方向とが略同じにされた
音響出力装置。
【発明の詳細な説明】
【技術分野】
【０００１】
本技術はノイズを検出する検出マイクを有する音響出力装置についての技術分野に関する。
【背景技術】
【０００２】
頭部や耳に装着されてヘッドホンやイヤホンとして使用されスピーカーから音声の出力が行われる音響出力装置がある。【０００３】
このような音響出力装置においては、高音質の出力状態が確保されることが好ましく、特に、騒音（ノイズ）を低減した状態でスピーカーから出力された音声が鼓膜に到達することが望まれている。【０００４】
上記のような音響出力装置においては、ノイズを低減するノイズキャンセリングタイプが開発されている（例えば、特許文献１参照）。【０００５】
このようなノイズキャンセリングタイプの音響出力装置にあっては、外部の音声がノイズ検出用の検出マイクに入力され、ノイズ検出用の検出マイクによって検出されたノイズが最小になるように使用者に知覚させるノイズキャンセリング信号が出力される。【０００６】
使用者においては、ノイズキャンセリング信号が出力されることによりノイズがキャンセルされるように知覚され、騒音が最小にされた質の高い音声が聴取される。
【先行技術文献】
【特許文献】
【０００７】
【特許文献１】特開２０１７−３４７０２号公報
【発明の概要】
【発明が解決しようとする課題】
【０００８】
ところで、ヘッドホンやイヤホン等の音響出力装置は、据置型のステレオセット等の他に携帯電話や小型の音楽再生装置等においても使用され、近年、携帯電話等の普及によって室内で使用される態様の他に、室外で使用される態様が増加している。従って、特に、室外での使用状況に応じて、外部の騒音を低減して高音質の出力状態が確保されることが望まれている。【０００９】
そこで、本技術音響出力装置は、上記した問題点を克服し、ノイズキャンセリング機能の向上を図ることを目的とする。
【課題を解決するための手段】
【００１０】
第１に、本技術に係る音響出力装置は、入力用振動板を有しノイズを検出する検出マイクと、出力用振動板を有するスピーカーと、内部に少なくとも前記スピーカーと前記検出マイクが配置されたハウジングとを備え、前記入力用振動板と前記出力用振動板の向きが略同じにされたものである。【００１１】
これにより、入力用振動板と出力用振動板が向き合った状態でスピーカーからの音声の出力と検出マイクへの音声の入力が行われ、入力用振動板と出力用振動板の距離を近くすることが可能になり、スピーカーから出力される音声と検出マイクに入力される音声との間での位相の遅れが生じ難くなる。【００１２】
第２に、上記した音響出力装置においては、前記検出マイクの少なくとも一部が前記スピーカーに対向して位置されることが望ましい。【００１３】
これにより、検出マイクの一部がスピーカーと向き合って位置される。【００１４】
第３に、上記した音響出力装置においては、前記検出マイクの全体が前記スピーカーに対向して位置されることが望ましい。【００１５】
これにより、検出マイクの全体がスピーカーと向き合って位置される。【００１６】
第４に、上記した音響出力装置においては、前記検出マイクと前記スピーカーの距離が前記検出マイクの半径以下にされることが望ましい。【００１７】
これにより、検出マイクとスピーカーの距離が小さいため、スピーカーから出力される音声と検出マイクに入力される音声との間での位相の遅れが生じ難い。【００１８】
第５に、上記した音響出力装置においては、前記スピーカーから出力される音声の周波数帯域と異なる周波数帯域の音声を出力する音声出力器が設けられることが望ましい。【００１９】
これにより、スピーカーから出力される特定の帯域の音声の出力性能が低下する可能性がある場合においても、音声出力器から当該特定の帯域の音声を出力することにより、使用者において広い帯域における良好な音声の聴取が可能になる。【００２０】
第６に、上記した音響出力装置においては、前記ハウジングに開口が形成され、前記開口から入力されるノイズを検出するセンシングマイクが設けられることが望ましい。【００２１】
これにより、ノイズが検出マイクの他にセンシングマイクによっても検出され、ノイズの低減特性が高くなる。【００２２】
第７に、上記した音響出力装置においては、前記センシングマイクが前記ハウジングの内部に配置され、前記検出マイクと前記センシングマイクが前記スピーカーを挟んで反対側に位置されることが望ましい。【００２３】
これにより、ハウジングの内部においてスピーカーを挟んだ反対側に検出マイクとセンシングマイクが位置される。【００２４】
第８に、上記した音響出力装置においては、前記スピーカーから出力される音声が通過される音導管を有するブラケットが設けられ、前記ブラケットに前記スピーカーと前記検出マイクが取り付けられることが望ましい。【００２５】
これにより、スピーカーと検出マイクが同じ部材に取り付けられるため、スピーカーと検出マイクをそれぞれ取り付けるための専用の部材を必要としない。【００２６】
第９に、上記した音響出力装置においては、前記スピーカーから出力される音声の周波数帯域と異なる周波数帯域の音声を出力する音声出力器が設けられ、前記音声出力器が前記ブラケットに取り付けられることが望ましい。【００２７】
これにより、スピーカーと検出マイクと音声出力器が何れも同じ部材に取り付けられ、スピーカーと検出マイクと音声出力器をそれぞれ取り付けるための専用の部材を必要としない。【００２８】
第１０に、上記した音響出力装置においては、前記音声出力器から出力される音声が前記音導管を通るようにされることが望ましい。【００２９】
これにより、スピーカーから出力された音声と音声出力器から出力された音声とが何れも音導管を通って外部に出力されるため、スピーカーから出力された音声と音声出力器から出力された音声とをそれぞれ通る各別の音導管を必要としない。【００３０】
第１１に、別の本技術に係る音響出力装置は、入力用振動板を有しノイズを検出する検出マイクと、出力用振動板を有するスピーカーと、内部に少なくとも前記スピーカーと前記検出マイクが配置されたハウジングとを備え、前記スピーカーの軸方向と前記検出マイクの軸方向とが略同じにされたものである。【００３１】
これにより、スピーカーの軸方向と検出マイクの軸方向とが略同じにされた状態でスピーカーからの音声の出力と検出マイクへの音声の入力が行われ、スピーカーと検出マイクの距離を近くすることが可能になり、スピーカーから出力される音声と検出マイクに入力される音声との間での位相の遅れが生じ難くなる。
【発明の効果】
【００３２】
本技術によれば、入力用振動板と出力用振動板が向き合った状態でスピーカーからの音声の出力と検出マイクへの音声の入力が行われ、入力用振動板と出力用振動板の距離を近くすることが可能になり、スピーカーから出力される音声と検出マイクに入力される音声との間での位相の遅れが生じ難くなるため、検出マイクによるノイズの検出精度が高まり、ノイズキャンセリング機能の向上を図ることができる。【００３３】
尚、本明細書に記載された効果はあくまでも例示であって限定されるものではなく、他の効果があってもよい。
【図面の簡単な説明】
【００３４】
【図１】図２乃至図８と共に本技術音響出力装置の実施の形態を示すものであり、本図は、音響出力装置の斜視図である。
【図２】音響出力装置の分解斜視図である。
【図３】音響出力装置の拡大断面図である。
【図４】音響出力装置の拡大側面図である。
【図５】ブラケットとキャップを示す拡大背面図である。
【図６】内部構造の一部等を示す拡大斜視図である。
【図７】検出マイクの一部がスピーカーに対向して位置された例を示す側面図である。
【図８】検出マイクがスピーカーに対向して位置されていない例を示す側面図である。
【発明を実施するための形態】
【００３５】
以下に、本技術音響出力装置を実施するための形態を添付図面に従って説明する。
【００３６】
以下に示した実施の形態は、本技術音響出力装置をイヤホンに適用したものである。但し、本技術の適用範囲はイヤホンに限られることはなく、ヘッドホン等の他の各種の音響出力装置に広く適用することができる。
【００３７】
尚、以下に示す音響出力装置には音声の出力部としてスピーカー及び音声出力器が設けられ、スピーカーと音声出力器からそれぞれ出力される音声が通る音導管が設けられており、以下の説明にあっては、音導管の軸方向を前後方向としスピーカーと音声出力器の並び方向を上下方向として前後左右上下の方向を示すものとする。
【００３８】
但し、以下に示す前後上下左右の方向は説明の便宜上のものであり、本技術の実施に関しては、これらの方向に限定されることはない。
【００３９】
＜音響出力装置の構成＞
以下に、音響出力装置１の構成について説明する（図１乃至図６参照）。音響出力装置１は、例えば、一対で使用され、一方が左耳用として使用され他方が右耳用として使用される。但し、一つの音響出力装置１を使用して音声の聞き取りが行われてもよい。
【００４０】
音響出力装置１はハウジング２の内外に所要の各部が配置されて成り、ハウジング２はフロントカバー３とミドルカバー４とリアカバー５が前側から順に結合されて成る（図１乃至図３参照）。
【００４１】
フロントカバー３は後方に開口された略椀状のカバー面部３ａとカバー面部３ａの外周寄りの部分から後方に突出された結合面部３ｂとカバー面部３ａから前方に突出された保持筒部３ｃとを有している。結合面部３ｂは略円弧面状に形成され、カバー面部３ａの外周寄りの部分における下端部以外の部分から後方に突出されている。
【００４２】
ミドルカバー４は軸方向が前後方向にされた筒状に形成され、外形状の大きさ及び形状がそれぞれカバー部３ａの外形状の大きさ及び形状と略同じにされている。ミドルカバー４の下端部には通気孔４ａが形成されている（図４参照）。
【００４３】
リアカバー５はリア面部５ａと周面部５ｂと結合面部５ｃと挿入筒部５ｄと取付筒部５ｅを有している（図１乃至図３参照）。
【００４４】
リア面部５ａは軸方向が前後方向にされた円環状に形成されている。リア面部５ａの内側の空間は開口５ｆとして形成されている。周面部５ｂはリア面部５ａの外周部から前方側に突出され、前方に行くに従って外形状が大きくなる形状に形成されている。結合面部５ｃは周面部５ｂの前端部における下端部を除く部分から前方に突出されている。挿入筒部５ｄは周面部５ｂの下端部から下方に突出された円筒状に形成されている。取付筒部５ｅはリア面部５ａから前方に突出された円筒状に形成されている。
【００４５】
ハウジング２は、ミドルカバー４の前端部がフロントカバー３の結合面部３ｂに外嵌状に結合されミドルカバー４の後端部がリアカバー５の結合面部５ｃに外嵌状に結合されることにより構成される。
【００４６】
ハウジング２にはブラケット６が配置され、ブラケット６は一部が保持筒部３ｃから前方に突出されている。ブラケット６は第１の取付部７と第２の取付部８と音導管９を有している。
【００４７】
第１の取付部７は前後方向を向く略円板状のベース面部１０とベース面部１０の外周部から後方に突出された筒面部１１とを有している。ベース面部１０には上側から順に音声入力孔１０ａと調整孔１０ｂと第１の音声通過孔１０ｃが形成されている（図５参照）。
【００４８】
第２の取付部８は前後に延び後方に開口されたケース状に形成され、第１の取付部７の下側に位置され、略後半部が第１の取付部７に連続されている（図２、図３及び図５参照）。第２の取付部８には、上面部における前半部に上下に貫通された第２の音声通過孔８ａが形成されている。
【００４９】
音導管９は軸方向が前後方向にされた略円筒状の音導筒部９ａと音導筒部９ａの内部に位置された仕切板部９ｂとを有している。音導管９はベース面部１０の下端部から前方に突出され、略後半部が第２の取付部８の略前半部に連続されている。音導筒部９ａの内部空間にはベース面部１０の第１の音声通過孔１０ｃと第２の取付部８の第２の音声通過孔８ａとが連通されている。仕切板部９ｂは上下方向を向き、ベース面部１０に形成された第１の音声通過孔１０ｃの下側開口縁から前方に突出され、左右両側縁がそれぞれ音導筒部９ａの内面に連続されている。従って、仕切板部９ｂによって音導管９の内部空間の一部が上下で仕切られている。
【００５０】
ブラケット６は音導管９の前端部以外の部分がハウジング２の内部に配置され、音導筒部９ａがフロントカバー３の保持筒部３ｃに挿通された状態で保持されている。ブラケット６は音導筒部９ａの前端部が保持筒部３ｃから前方に突出されている。
【００５１】
音導筒部９ａの前端部にはイコライザー１２が圧入された状態で配置されている。イコライザー１２は、例えば、圧縮ウレタンによって形成され、音導筒部９ａを通る音声のうち、主に、高域の減衰度合いを調整する機能を有している。
【００５２】
ブラケット６の第１の取付部７には検出マイク１３とレジスター１４とスピーカー１５が取り付けられている。
【００５３】
検出マイク１３は耳元に近い位置でノイズを検出するフィードバックマイクとして機能し、ベース面部１０の前面における音声入力孔１０ａを覆う位置に取り付けられている。検出マイク１３には外形が円形状に形成され略前後方向を向く入力用振動板１３ａが設けられている。
【００５４】
レジスター１４は、例えば、円環状に形成され、中心孔１４ａが調整孔１０ｂの真後ろに位置された状態でベース面部１０の後面に取り付けられている。レジスター１４はスピーカー１５から出力される音声のうち、主に、低域の感度の調整を行う機能を有している。レジスター１４の中心孔１４ａはベース面部１０の調整孔１０ｂより径が小さくされている。
【００５５】
スピーカー１５は前側の部分が第１の取付部７に挿入された状態でブラケット６に取り付けられている。スピーカー１５には外形が円形状に形成された略前後方向を向く出力用振動板１５ａが設けられている。
【００５６】
上記のように、検出マイク１３がベース面部１０の前面に取り付けられスピーカー１５がベース面部１０の後面に取り付けられており、検出マイク１３はスピーカー１５の真正面に位置されている。従って、検出マイク１３は全体がスピーカー１５に対向して位置されている。検出マイク１３の入力用振動板１３ａとスピーカー１５の出力用振動板１５ａとは何れも略前後方向を向く状態にされ略同じ向きにされている。スピーカー１５からは低域から高域までの広い帯域の音声の出力が可能にされている。
【００５７】
検出マイク１３とスピーカー１５がブラケット６に取り付けられた状態においては、検出マイク１３とスピーカー１５の距離が検出マイク１３の半径以下にされている。具体的には、例えば、検出マイク１３の半径が２ｍｍにされ、検出マイク１３とスピーカー１５の距離が１ｍｍ以下にされている。
【００５８】
また、検出マイク１３の軸方向（中心軸Ｓ１方向）とスピーカー１５の軸方向（中心軸Ｓ２方向）とは何れも前後方向にされ、検出マイク１３の軸方向とスピーカー１５の軸方向とが略同じにされている。
【００５９】
スピーカー１５の後面には吸音材１６が取り付けられている。吸音材１６は、例えば、圧縮ウレタンによって形成され、主に、スピーカー１５から出力される音声のうち中低域の感度を調整する機能を有している。
【００６０】
スピーカー１５はブラケット６に取り付けられた状態において、一部が第１の取付部７から後方に突出されており、この突出された部分がスピーカーカバー１７によって覆われている。スピーカーカバー１７には配置孔１７ａが形成されている。スピーカーカバー１７はブラケット６の第１の取付部７に後方から取り付けられ、スピーカー１５を後方から覆う状態にされている。スピーカー１５がスピーカーカバー１７に覆われた状態において、配置孔１７ａに吸音材１６が配置される。
【００６１】
ブラケット６の第２の取付部８には音声出力器１８が取り付けられている。マイクユニット２０はスピーカー１５の後方に位置されている。音声出力器１８は第２の取付部１８に後方から挿入された状態で配置されている。音声出力器１８は、例えば、ツイーターとして機能し、スピーカー１５から出力される音声の周波数帯域と異なる周波数帯域の音声である高域の音声を出力する。
【００６２】
スピーカーカバー１７の後面には基板１９が取り付けられている。基板１９によってスピーカー１５と音声出力器１８の駆動制御が行われる。
【００６３】
リアカバー５の取付筒部５ｅにはマイクユニット２０が取り付けられている。マイクユニット２０はセンシングマイク２０ａとマイクケース２０ｂとマイクシート２０ｃを有し、センシングマイク２０ａがマイクケース２０ｂに前方から覆われ、マイクシート２０ｃがセンシングマイク２０ａの後面に取り付けられている。センシングマイク２０ｂはハウジング２の内部において取付筒部５ｅに取り付けられ、音響出力装置１の外周側の位置で開口５ｆから入力されるノイズを検出するフィードフォワードマイクとして機能する。
【００６４】
リアカバー５の挿入筒部５ｄにはブッシング２１が挿入されて取り付けられている。ブッシング２１にはケーブル２２が被覆されており、ケーブル２２が基板１９と検出マイク１３とセンシングマイク２０ａに接続されている。
【００６５】
音導管９のうちフロントカバー３の保持筒部３ｃから前方に突出された部分には、キャップ２３が取り付けられている。キャップ２３はゴム材料等によって形成され、使用者が音響出力装置１を使用するときに耳孔に挿入される部分である。キャップ２３には音導管９の内部空間に連通された通過孔２３ａが形成されている。
【００６６】
上記したように、音響出力装置１にあっては、センシングマイク２０ａがハウジング２の内部に配置され、検出マイク１３とセンシングマイク２０ａがスピーカー１５を挟んで反対側に位置されている。
【００６７】
従って、ハウジング２の内部においてスピーカー１５を挟んだ反対側に検出マイク１３とセンシングマイク２０ａが位置されるため、スペースの有効活用による音響出力装置１の小型化を図ることができる。
【００６８】
また、スピーカー１５から出力される音声が通過される音導管９を有するブラケット６が設けられ、ブラケット６にスピーカー１５と検出マイク１３が取り付けられている。
【００６９】
従って、スピーカー１５と検出マイク１３が同じ部材に取り付けられるため、スピーカー１５と検出マイク１３をそれぞれ取り付けるための専用の部材を必要とせず、部品点数の削減による音響出力装置１の一層の小型化を図ることができる。
【００７０】
さらに、音声出力器１８がブラケット６に取り付けられているため、スピーカー１５と検出マイク１３と音声出力器１８が何れも同じ部材に取り付けられ、スピーカー１５と検出マイク１３と音声出力器１８をそれぞれ取り付けるための専用の部材を必要とせず、部品点数の削減による音響出力装置１のより一層の小型化を図ることができる。
【００７１】
＜音響出力装置における動作＞
上記のように構成された音響出力装置１において、スピーカー１５から音声が出力されると、出力された音声はベース面部１０の第１の音声通過孔１０ｃから音導管９の内部を通る。このとき音声は音導管９の内部において仕切板部９ａの上側を通り、キャップ２３の通過孔２３ａを介して使用者の鼓膜に到達する。
【００７２】
同時に、音声出力器１８からも音声が出力され、出力された音声は第２の取付部８の第２の音声通過孔８ａから音導管９の内部を通る。このとき音声は音導管９の内部において仕切板部９ａの下側を通り、キャップ２３の通過孔２３ａを介して使用者の鼓膜に到達する。
【００７３】
スピーカー１５と音声出力器１８から出力されて音導管９の内部を通る音声はイコライザー１２によって高域の減衰度合いが調整され、高域が適正に調整された音声が鼓膜に到達する。
【００７４】
上記のように音声出力器１８から出力された音声は音導管９を通る構成にされている。
【００７５】
従って、スピーカー１５から出力された音声と音声出力器１８から出力された音声とが何れも音導管９を通って外部に出力されるため、スピーカー１５から出力された音声と音声出力器１８から出力された音声とをそれぞれ通る各別の音導管を必要とせず、部品点数の削減による音響出力装置１の小型化及び製造コストの低減を図ることができる。
【００７６】
スピーカー１５から音声が出力されたときには、出力された音声が音導管９を通る他に、ベース面部１０の音声入力孔１０ａから検出マイク１３にも入力される。
【００７７】
また、同時に、スピーカー１５から出力された音声はベース面部１０の調整孔１０ｂを介してレジスター１４の中心孔１４ａを通る。このときレジスター１４によって低域の感度の調整が行われる。レジスター１４の中心孔１４ａを通った音声は、フロントカバー３の内面側を通って下方へ導かれ、ミドルカバー４の通気孔４ａから外部に放出される。
【００７８】
さらに、スピーカー１５から音声が出力されたときには、音声が後方へも出力され、吸音材１６によって中低域の感度が調整される。スピーカー１５から後方へ出力された音声は少なくとも一部が下方へ導かれ、ミドルカバー４の通気孔４ａから外部に放出される。
【００７９】
同時に、スピーカー１５と音声出力器１８から音声が出力されたときには、検出マイク１３とセンシングマイク２０ａによってノイズキャンセリング機能が実行される。ノイズキャンセリング機能は、検出マイク１３によって、主に、音導管９の内部を通る音声におけるノイズが検出されると共にセンシングマイク２０ａによって外部の音声におけるノイズが検出され、検出された各ノイズが最小になるように使用者に知覚させるノイズキャンセリング信号が図示しないノイズキャンセリング回路によって生成されることにより行われる。
【００８０】
使用者においては、ノイズキャンセリング信号が生成されることにより、検出マイク１３とセンシングマイク２０ａによってそれぞれ検出されたノイズがキャンセルされるように知覚され、騒音が最小にされた質の高い音声が聴取される。
【００８１】
＜まとめ＞
以上に記載した通り、音響出力装置１にあっては、入力用振動板１３ａを有しノイズを検出する検出マイク１３と、出力用振動板１５ａを有するスピーカー１５と、内部に少なくともスピーカー１５と検出マイク１３が配置されたハウジング２とが設けられ、入力用振動板１３ａと出力用振動板１５ａの向きが略同じにされている。
【００８２】
従って、入力用振動板１３ａと出力用振動板１５ａが向き合った状態でスピーカー１５からの音声の出力と検出マイク１３への音声の入力が行われ、入力用振動板と出力用振動板の距離を近くすることが可能になり、スピーカー１５から出力される音声と検出マイク１３に入力される音声との間での位相の遅れが生じ難いため、検出マイク１３によるノイズの検出精度が高まり、ノイズキャンセリング機能の向上を図ることができる。
【００８３】
また、スピーカー１５の軸方向と検出マイク１３の軸方向とが略同じにされている。
【００８４】
従って、スピーカー１５の軸方向と検出マイク１３の軸方向とが略同じにされた状態でスピーカー１５からの音声の出力と検出マイク１３への音声の入力が行われ、スピーカー１５と検出マイク１３の距離を近くすることが可能になり、スピーカー１５から出力される音声と検出マイク１３に入力される音声との間での位相の遅れが生じ難いため、検出マイク１３によるノイズの検出精度が高まり、高いノイズキャンセリング機能を確保することができる。
【００８５】
さらに、検出マイク１３の全体がスピーカー１５に対向して位置されているため、検出マイク１３の全体がスピーカー１５と向き合って位置され、一層高いノイズキャンセリング機能を確保することができる。
【００８６】
さらにまた、検出マイク１３とスピーカー１５の距離が検出マイク１３の半径以下にされており、検出マイク１３とスピーカー１５の距離が小さいため、スピーカー１５から出力される音声と検出マイク１３に入力される音声との間での位相の遅れが一層生じ難く、より一層高いノイズキャンセリング機能を確保することができる。
【００８７】
加えて、ハウジング２の開口５ｆから入力されるノイズを検出するセンシングマイク２０ａが設けられているため、ノイズが検出マイク１３の他にセンシングマイク２０ａによっても検出され、ノイズの低減特性が高くなり、音響出力装置１における音質の向上を図ることができる。
【００８８】
音響出力装置１においては、上記したように、検出マイク１３の入力用振動板１３ａとスピーカー１５の出力用振動板１５ａとの向きが略同じにされ、検出マイク１３によるノイズの検出精度を高めてノイズキャンセリング機能の向上を図っている。
【００８９】
しかしながら、入力用振動板１３ａと出力用振動板１５ａの向きを略同じにしてノイズキャンセリング機能の向上を図った場合に、スピーカー１５から出力される特定の領域、例えば、高域の音声の出力状態が低下するおそれがある。
【００９０】
そこで、音響出力装置１にあっては、スピーカー１５から出力される音声の周波数帯域と異なる周波数帯域の音声を出力する音声出力器１８が設けられている。音声出力器１８は、上記したように、例えば、高域の音声を出力するため、スピーカー１５から出力される高域の音声の出力性能が低下する可能性がある場合においても、音声出力器１８から高域の音声を出力することにより、使用者において高域から低域までの広い帯域における良好な音声の聴取が可能である。
【００９１】
このように音響出力装置１にあっては、スピーカー１５から出力される音声の周波数帯域と異なる周波数帯域の音声を出力する音声出力器１８が設けられているため、スピーカー１５から出力される音声の一部の帯域の出力性能が低下した場合において、出力性能が低下した帯域の音声を音声出力器１８から出力することが可能になり、広い帯域の音声を出力することができる。
【００９２】
＜その他＞
上記には、検出マイク１３の全体がスピーカー１５に対向して位置された例を示したが、音響出力装置１においては、検出マイク１３の一部がスピーカー１５に対向して位置されていてもよい（図７参照）。
【００９３】
このような検出マイク１３の一部がスピーカー１５に対向して位置された場合においても、検出マイク１３の一部がスピーカー１５と向き合って位置されるため、良好なノイズキャンセリング機能を確保することができる。
【００９４】
また、検出マイク１３の入力用振動板１３ａとスピーカー１５の出力用振動板１５ａとの向きが略同じにされていれば、検出マイク１３の全体がスピーカー１５に対向して位置されていない構成にすることも可能である（図８参照）。
【００９５】
さらに、スピーカー１５の軸方向と検出マイク１３の軸方向とが略同じにされていれば、検出マイク１３の全体がスピーカー１５に対向して位置されていない構成にすることも可能である。
【００９６】
このように検出マイク１３の入力用振動板１３ａとスピーカー１５の出力用振動板１５ａとの向きが略同じにされているか、スピーカー１５の軸方向と検出マイク１３の軸方向とが略同じにされていることにより、スピーカー１５から出力される音声と検出マイク１３に入力される音声との間での位相の遅れが生じ難いため、ノイズキャンセリング機能の向上を図ることが可能である。
【００９７】
＜本技術＞
本技術は、以下のような構成にすることができる。
【００９８】
（１）
入力用振動板を有しノイズを検出する検出マイクと、
出力用振動板を有するスピーカーと、
内部に少なくとも前記スピーカーと前記検出マイクが配置されたハウジングとを備え、
前記入力用振動板と前記出力用振動板の向きが略同じにされた
音響出力装置。
【００９９】
（２）
前記検出マイクの少なくとも一部が前記スピーカーに対向して位置された
前記（１）に記載の音響出力装置。
【０１００】
（３）
前記検出マイクの全体が前記スピーカーに対向して位置された
前記（２）に記載の音響出力装置。
【０１０１】
（４）
前記検出マイクと前記スピーカーの距離が前記検出マイクの半径以下にされた
前記（１）から前記（３）の何れかに記載の音響出力装置。
【０１０２】
（５）
前記スピーカーから出力される音声の周波数帯域と異なる周波数帯域の音声を出力する音声出力器が設けられた
前記（１）から前記（４）の何れかに記載の音響出力装置。
【０１０３】
（６）
前記ハウジングに開口が形成され、
前記開口から入力されるノイズを検出するセンシングマイクが設けられた
前記（１）から前記（５）の何れかに記載の音響出力装置。
【０１０４】
（７）
前記センシングマイクが前記ハウジングの内部に配置され、
前記検出マイクと前記センシングマイクが前記スピーカーを挟んで反対側に位置された
前記（６）に記載の音響出力装置。
【０１０５】
（８）
前記スピーカーから出力される音声が通過される音導管を有するブラケットが設けられ、
前記ブラケットに前記スピーカーと前記検出マイクが取り付けられた
前記（１）から前記（７）の何れかに記載の音響出力装置。
【０１０６】
（９）
前記スピーカーから出力される音声の周波数帯域と異なる周波数帯域の音声を出力する音声出力器が設けられ、
前記音声出力器が前記ブラケットに取り付けられた
前記（８）に記載の音響出力装置。
【０１０７】
（１０）
前記音声出力器から出力される音声が前記音導管を通るようにされた
前記（９）に記載の音響出力装置。
【０１０８】
（１１）
入力用振動板を有しノイズを検出する検出マイクと、
出力用振動板を有するスピーカーと、
内部に少なくとも前記スピーカーと前記検出マイクが配置されたハウジングとを備え、
前記スピーカーの軸方向と前記検出マイクの軸方向とが略同じにされた
音響出力装置。
【符号の説明】
【０１０９】
１…音響出力装置、２…ハウジング、５ｆ…開口、６…ブラケット、９…音導管、１３…検出マイク、１３ａ…入力用振動板、１５…スピーカー、１５ａ…出力用振動板、１８…音声出力器、２０ａ…センシングマイク
【図１】
2019035304.tif 000003
【図２】
2019035304.tif 000004
【図３】
2019035304.tif 000005
【図４】
2019035304.tif 000006
【図５】
2019035304.tif 000007
【図６】
2019035304.tif 000008
【図７】
2019035304.tif 000009
【図８】
2019035304.tif 000010
【国際調査報告】
2019035304.tif 000011
2019035304.tif 000012
2019035304.tif 000013